(57)【要約】      （修正有）【課題】当月分の暦と翌月分の暦とを同時に表示することが可能であって、しかも月毎に当月分の暦と翌月分の暦とが逆転することがないようにし、さらには月が改まった場合における操作が容易なカレンダーを提供する。【解決手段】カレンダーのシート１１において、その左側に当月分の７曜表１７を、右側に翌月分の７曜表１８を配置するか、上側に当月分の７曜表１７を配置し、下側に翌月分の７曜表１８を配置する。月が改まったら、綴じ代１９の下側の破断線２０のところでシート１１の全体を破断する。すなわち、前記カレンダーは、少なくとも１２枚のシートを備え、各シートに当月分の７曜表と翌月分の７曜表とを並置するようにしたものである。【選択図】図１
0003181065.tif 000002
【実用新案登録請求の範囲】
【請求項１】
少なくとも１２枚のシートを備え、各シートに当月分の７曜表と翌月分の７曜表とを並置したカレンダー。
【請求項２】
各シートの上部に写真、絵等の絵柄表示領域が形成されるとともに、該絵柄表示領域の下側に当月分の７曜表と翌月分の７曜表とを、当月分を左側に、翌月分を右側に左右に並置した請求項１に記載のカレンダー。
【請求項３】
各シートの上下に、当月分の７曜表と翌月分の７曜表とを、当月分が上側に、翌月分が下側になるように並置した請求項１に記載のカレンダー。
【請求項４】
各シートの左右に当月分の７曜表と翌月分の７曜表とを、当月分を左側に、翌月分を右側に左右に並置するとともに、前記当月分の７曜表と前記翌月分の７曜表の下側にメモ欄を設けた請求項１に記載のカレンダー。
【請求項５】
１２枚のシートを備え、各シートが１月から１２月迄に対応し、１ケ月毎にシートの全体を破断除去するようになっている請求項１〜４の何れかに記載のカレンダー。
【請求項６】
１３枚のシートを備え、各シートが前年の１２月と、当年の１月から１２月とに対応し、１ケ月毎にシートの全体を破断除去するようになっている請求項１〜４の何れかに記載のカレンダー。
【考案の詳細な説明】
【技術分野】
【０００１】
本考案はカレンダーに係り、とくに当月分のみならず翌月分をも表示できるようにしたカレンダーに関する。
【背景技術】
【０００２】
例えば特開平１１−２６８４４６号公報には、当月分とともに常に翌月分のカレンダーをも一目で見ることができ、絶えず翌月分をも見ることができるようにしたカレンダーであって、６枚構成で、各シートに２カ月分を印刷し、それを１年分にまとめた吊下げ用カレンダーを、過去となった月のカレンダーを一カ月分ごとに切り離し可能なミシン目及びその他の切込みを入れたカレンダーが開示されている。
【０００３】
このようなカレンダーは、当月分のカレンダーと翌月分のカレンダーとが並置されるために、翌月分のカレンダーをも見ることができ、とくに予定を立てる場合に便利である。ここでこのカレンダーは、６枚構成になっており、２カ月分ずつを印刷して１カ月ずつ分離除去できるようにしている。このために、当月分と翌月分の表示が左右で交互に変換することになる。このために見誤って、当月分のカレンダーと翌月分のカレンダーとを逆に認識する可能性があり、予定を立てる場合にミスが起こる可能性がある。
【０００４】
特開２００１−８８４６５号公報には、常に同じ位置関係で、当月分と翌月分、また前月分と当月分と翌月分とを、同時に掲示できるカレンダーを提供するものであって、カレンダー台紙には、カレンダー紙葉を掛けて保持するための突起部が設けられており、カレンダー紙葉にはひと月分の日付、曜日等が記載され、各紙葉の上部には台紙の突起部に対応する穴等が設けられたカレンダーが開示されている。このようなカレンダーは、各月毎にカレンダー紙葉が分離独立した構成になっており、台紙上の突起部を利用してこのようなカレンダー紙葉を掛けるようにしている。
【０００５】
従って月が改まる毎に、カレンダー紙葉を外してその位置を変更したり、新しい月のカレンダー紙葉を保持しなければならず、とくに月が改められるときにおけるカレンダー紙葉の設定が面倒である。また各カレンダー紙葉が比較的厚手の紙によって印刷されるようになっているために、印刷の工数が増大する欠点がある。
【先行技術文献】
【特許文献】
【０００６】
【特許文献１】特開平１１−２６８４４６号公報
【特許文献２】特開２００１−８８４６５号公報
【考案の概要】
【考案が解決しようとする課題】
【０００７】
本願考案の課題は、当月分の７曜表と翌月分の７曜表とを同時に見ることができ、これによってとくに予定を立てる場合に便利なカレンダーを提供することである。
【０００８】
本願考案の別の課題は、当月分の７曜表と翌月分の７曜表の位置関係が月によって交互に変更されないようにしたカレンダーを提供することである。
【０００９】
本願考案のさらに別の課題は、月の切換えの際にカレンダー紙葉を交換する必要がないようにし、これによって月が改まっても面倒な操作を必要としないようにしたカレンダーを提供することである。
【００１０】
本願考案のさらに別の課題は、通常の紙等のシート状の材料によって、極めて簡単に印刷を施すことによって作成できるようにしたカレンダーを提供することである。
【００１１】
本願考案の上記の課題および別の課題は、以下に述べる本願考案の技術的思想、およびその実施の形態によって明らかにされる。
【課題を解決するための手段】
【００１２】
本願の主要な考案は、少なくとも１２枚のシートを備え、各シートに当月分の７曜表と翌月分の７曜表とを並置したカレンダーに関するものである。
【００１３】
ここで、各シートの上部に写真、絵等の絵柄表示領域が形成されるとともに、該絵柄表示領域の下側に当月分の７曜表と翌月分の７曜表とを、当月分を左側に、翌月分を右側に左右に並置してよい。また各シートの上下に、当月分の７曜表と翌月分の７曜表とを、当月分が上側に、翌月分が下側になるように並置してよい。また各シートの左右に当月分の７曜表と翌月分の７曜表とを、当月分を左側に、翌月分を右側に左右に並置するとともに、前記当月分の７曜表と前記翌月分の７曜表の下側にメモ欄を設けてよい。また１２枚のシートを備え、各シートが１月から１２月迄に対応し、１ケ月毎にシートの全体を破断除去するようになっていてよい。また１３枚のシートを備え、各シートが前年の１２月と、当年の１月から１２月とに対応し、１ケ月毎にシートの全体を破断除去するようになっていてよい。
【考案の効果】
【００１４】
本願の主要な考案は、少なくとも１２枚のシートを備え、各シートに当月分の７曜表と翌月分の７曜表とを並置するようにしたものである。
【００１５】
従ってこのようなカレンダーによると、各シートが１ケ月分ずつ用いられるとともに、各シートには当月分の７曜表と翌月分の７曜表とが並置されているために、とくに予定を立てる場合等に、次のシートをめくって翌月分の７曜表を確認することなく一目で当月分と翌月分とを確認できるようになる。しかも各シートに当月分と翌月分とが同時に並置されるために、１ケ月毎に当月分の７曜表と翌月分の７曜表とを入替える必要がなく、各月の当月分の７曜表と翌月分の７曜表の配置関係を一定にすることができる。
【図面の簡単な説明】
【００１６】
【図１】第１の実施の形態の１枚目のシートの構成を示す平面図である。
【図２】同実施の形態の２枚目のシートの構成を示す平面図である。
【図３】１３枚構成とした場合における１枚目のシートの平面図である。
【図４】当月分の７曜表と翌月分の７曜表とを上下に配置した実施の形態のカレンダーの１枚目のシートの平面図である。
【図５】シートを横長にして用い、当月分の７曜表と翌月分の７曜表とを左右に配置した構成の実施の形態の１枚目のシートの平面図である。
【図６】図５に示す実施の形態の変形例であって、下側の部分にメモ欄等を設けた構成のカレンダーの１枚目のシートの平面図である。
【考案を実施するための形態】
【００１７】
以下本願考案を図示の実施の形態によって説明する。
【００１８】
図１および図２は第１の実施の形態のカレンダーを示しており、とくに図１はこの実施の形態のカレンダーの１枚目のシート１１の構成を示している。このシート１１は縦長にして用いられるようになっており、その上部に絵柄表示領域１６が設けられている。この絵柄表示領域１６には、写真、絵画、模様、広告等の暦以外の表示がなされる領域である。そしてこの絵柄表示領域１６の下側の半分の領域をさらに左右に２分割し、左側の部分に当月分の７曜表１７を、右側の領域に翌月分の７曜表１８をそれぞれ印刷して形成している。例えば１枚目のシート１１の場合には、左側に１月の７曜表が、右側に２月の７曜表が表示される。また上部には綴じ代１９が所定の幅で設けられとともに、この綴じ代１９の下端側が破断線２０になっている。
【００１９】
図２はこのようなカレンダーのとくに２枚目のシート１２の構成を示しており、ここではその絵柄表示領域１６の下側の部分に、当月分の７曜表１７として２月分の７曜表が、右側に翌月分の７曜表１８として３月分の７曜表が表示されている。それ以外の構成は、図１に示す１枚目のシート１１の構成と同様である。
【００２０】
このような図１および図２に示すようなシートを順次１２枚重合わせる。そして綴じ代１９の部分で綴じることによってカレンダーが組立てられる。このような１年分のカレンダーの１２枚のシートの構成は、表１に示される。
【００２１】
【表１】
0003181065.tif 000003
【００２２】
すなわちシートＮｏ．１においては、１月分と２月分とがそれぞれ左側と右側に配置される。シートＮｏ．２においては、２月分と３月分とがそれぞれ左側と右側とに配置される。シートＮｏ．３においては、３月分と４月分とが左側と右側とにそれぞれ表示される。シートＮｏ．４においては、４月分と５月分とがそれぞれ左側と右側とに配置される。シートＮｏ．５においては、５月分と６月分とがそれぞれ左側と右側とに配置される。シートＮｏ．６においては、６月分と７月分とがそれぞれ左側と右側とに配置される。シートＮｏ．７においては、７月分と８月分とがそれぞれ左側と右側とに配置される。シートＮｏ．８においては、８月分と９月分とがそれぞれ左側と右側とに配置される。シートＮｏ．９においては、９月分と１０月分とがそれぞれ左側と右側とに配置される。シートＮｏ．１０においては、１０月分と１１月分とがそれぞれ左側と右側とに配置される。シートＮｏ．１１においては、１１月分と１２月分とがそれぞれ左側と右側とに配置される。シートＮｏ．１２においては、１２月分と１月分とがそれぞれ左側と右側とに配置される。
【００２３】
従って１２枚のシートから成るカレンダーであって、各シートにそれぞれ当月分の７曜表と翌月分の７曜表とが、左右に、当月分の７曜表１７を左側に、翌月分の７曜表１８を右側にして配置することが可能になる。従って毎月必ず翌月分の７曜表をも当月分の７曜表と併せて見ることができ、とくに予定を立てる場合の翌月分の７曜表を見るためにこのカレンダーをめくる必要がなくなる。また月が改められる際には、上側の綴じ代１９の下側の破断線２０によってその月のシートを破断して除去すればよい。これによって次の月についても、同様に当月分の７曜表１７と翌月分の７曜表１８とが表示されたシートが露出する。
【００２４】
従ってこのようなカレンダーによると、月が改められる毎に、当月分の７曜表１７と翌月分の７曜表１８の位置関係が交互に逆転する弊害が防止されるようになり、常に当月分の７曜表１７が左側に、翌月分の７曜表１８が右側に配置される。従って当月の７曜表と翌月の７曜表の表示を誤って認識することがなくなる。また月が改められる度にカレンダー紙葉を交換したり保持し直したりするような面倒な手間が一切無く、単に１ケ月毎にシート１１、１２を破断線２０のところで単に破断するだけでよく、月が改まった場合における操作も簡便になる。
【００２５】
次に別の実施の形態を図３によって説明する。この実施の形態は、１番上側に載るシート１３が、絵柄表示領域１６の下側の左側の部分に当月分の７曜表１７として１２月の７曜表が表示され、翌月分の７曜表１８として、右側に１月分の７曜表が表示されるようにしている。なおその後の２枚目以降の構成は、上記図１および図２、表１に示す構成と同様である。このように前年の１２月から用いることができるようにしたカレンダーの各シートの７曜表の構成、配列は表２に示される。ここでシートＮｏ．１については、左側に１２月分が、右側に１月分が表示される。シートＮｏ．２〜シートＮｏ．１３までの構成は、表１のシートＮｏ．１〜シートＮｏ．１２の構成と同じなので、ここではその説明を省略する。
【００２６】
【表２】
0003181065.tif 000004
【００２７】
このような実施の形態においても、上記第１の実施の形態と同様の作用効果を奏する。しかも１２月から利用することができるために、利用期間が長くなる。
【００２８】
次にさらに別の実施の形態を図４によって説明する。この実施の形態は、シート１１を縦長に用いるようにし、しかもそのシートの上半分の領域に当月分の７曜表１７を、下半分に翌月分の７曜表１８をそれぞれ表示している。すなわちここでは、絵柄表示領域が存在せず、当月分の７曜表１７と翌月分の７曜表１８とを上下２段に配列している。また上部の綴じ代１９の下側に破断線２０が形成され、ここでその月が終わったら破断するようにしている。なおこのようなカレンダーにおける１２枚構成のシートの上側と下側の７曜表の配列は、表３に示される。表３に示す配列は、表１に示す配列と同様であって、この表１における左側を上側に置換え、右側を下側に置換えただけの構成になる。
【００２９】
【表３】
0003181065.tif 000005
【００３０】
このようなカレンダーにおいても、上側に当月分の７曜表１７が表示され、下側に翌月分の７曜表１８が表示されるために、当月と翌月の暦を同時に見ることができ、予定を立てるときに非常に便利である。しかもその月が終わって月が改まる場合には、破断線２０に沿ってこのシート１１を破断除去すればよく、とくに操作が面倒になることがない。
【００３１】
次に図５によって第３の実施の形態を説明する。この実施の形態は、シート１１を横長に用いるとともに、左側の半分の領域に当月分の７曜表１７を、また右側の半分の領域に翌月分の７曜表１８を配置している。すなわちここでは、シート１１に絵柄表示領域が形成されず、シート１１の左半分と右半分とにそれぞれ当月分の７曜表１７と翌月分の７曜表１８とを配置した構成となっている。なお各シートの左側と右側の組合わせは、表１に示す第１の実施の形態の表示と同様になる。
【００３２】
次に図５に示す上記実施の形態の変形例を図６によって説明する。この実施の形態は、横長シート１１の左側の部分に当月の７曜表１７を配置し、右側の部分に翌月分の７曜表１８を配置したものである。またここでは絵柄表示領域が設けられておらず、その代わりに下端側の余白部分にメモ欄２３が配置されるとともに、メモ欄２３の横には、各季節の行事等の暦事項を表示する暦事項表示欄２４が配置されている。なおそれ以外の構成は図５に示す実施の形態と同様である。
【００３３】
このような変形例においても、各シート１１には、当月分の７曜表１７と翌月分の７曜表１８とが、左右に並置して配置されているために、予定を立てる場合においても、翌月分の７曜表１８をも常時ひと目で見ることができる。しかも当月分と７曜表１７と翌月分の７曜表１８の位置関係が各月毎に総て共通であるために、当月分と翌月分を見誤ることがない。また月が改まったら、破断線２０によってシートの全体を破断除去すればよく、月が改まったときの操作が簡単になる。
【００３４】
以上本願考案を図示の一実施の形態によって説明したが、本願考案は上記実施の形態によって限定されることなく、本願考案の技術的思想の範囲内において各種の変更が可能である。例えば上記実施の形態における当月分の７曜表１７と翌月分の７曜表１８の配置関係については、左右あるいは上下を通年を通して逆にするように配置してもよい。
【産業上の利用可能性】
【００３５】
本願考案は、壁等に吊下げておくカレンダーとして利用することが可能である。
【符号の説明】
【００３６】
１１〜１３  シート
１６  絵柄表示領域
１７  当月分の７曜表
１８  翌月分の７曜表
１９  綴じ代
２０  破断線
２３  メモ欄
２４  暦事項表示欄
【図１】
0003181065.tif 000006
【図２】
0003181065.tif 000007
【図３】
0003181065.tif 000008
【図４】
0003181065.tif 000009
【図５】
0003181065.tif 000010
【図６】
0003181065.tif 000011